(57)【要約】【課題】  複数のＬＥＤと電源を、十分な放熱効率を維持した状態でユニット化し、かつ、当該ユニットを簡略な方法で複数個組み立てることが可能な構造を提供し、ＬＥＤを用いた照明装置の用途拡大と利便性向上を図る。【解決手段】  放熱板３を介してレンズ付きＬＥＤ２を、金属製の筐体５に複数個配列し、ＬＥＤの電源を筐体５に内蔵させて、発光ユニット４を構成する。複数の発光ユニット４を、ユニット連結用部材８、９を用いて、縦横二方向に連結し、発光複合体を構成し、照明装置に用いる。【選択図】図１
2010212221.tif 000002
【特許請求の範囲】
【請求項１】
一つの面に配置されてなる複数のレンズ付発光ダイオードと、内部に配置されてなる前記発光ダイオードの電源を有する、金属製の筐体からなる発光ユニット。
【請求項２】
前記レンズ付発光ダイオードは、放熱板を介して前記筐体に配置されてなることを特徴とする、請求項１に記載の発光ユニット。
【請求項３】
複数の前記発光ユニットを連結するためのユニット連結用部材を挿通する開口部と、前記ユニット連結用部材と前記筐体を係止するための接合手段とが、前記筐体に設けられてなることを特徴とする、請求項１または請求項２に記載の発光ユニット。
【請求項４】
請求項３に記載の発光ユニットを、前記ユニット連結用部材と前記接合手段を用いて、複数個連結してなる発光複合体を有することを特徴とする照明装置。
【発明の詳細な説明】
【技術分野】
【０００１】  本発明は、発光素子を組み立ててなる発光ユニットと、それを用いた照明装置に関わり、特に発光素子として発光ダイオード（以下、ＬＥＤと記す）を用いたものに関する。
【背景技術】
【０００２】
【先行技術文献】
街路灯などの照明装置には、水銀ランプ、メタルハライドランプ、ナトリウムランプ、蛍光ランプなどが用いられている。また、近年の環境問題への対応の必要性から、これらの他に、小型で高効率を発現するＬＥＤが種々の分野で活用されている。
【０００３】  ＬＥＤを光源として用いた照明装置においては、ＬＥＤに通電した際の発熱により、発光効率が影響を受け、ＬＥＤ自体の熱劣化を助長させる結果となる。この対策として、特許文献１には、表面を凹凸状に形成した放熱板を、ＬＥＤを配設した配線基板の外周面に沿って設ける例が開示されている。また、特許文献２には、配線基板を収納したケース体の外面に、一体成形された複数の放熱フィンを設ける構造が開示されている。
【０００４】しかしながら、前記の特許文献に開示されているものは、放熱の効率が必ずしも十分ではなく、改善の余地がある。また、一般にＬＥＤは小型であるため、街路灯のような高出力を要求される用途では、ＬＥＤを複数個用いることが必要となる。前記特許文献も複数のＬＥＤを配設した構成であるが、それらを複数個組み合わせて用いることが考慮されていない。
【０００５】
【特許文献１】  特開２００９−０３７７９６号公報
【特許文献２】  特開２００６−０４０７２７号公報
【発明の概要】
【発明が解決しようとする課題】
【０００６】  本発明の課題は、前記の問題点に鑑み、複数のＬＥＤと電源を、十分な放熱効率を維持した状態でユニット化し、かつ、当該ユニットを簡略な方法で複数個組み立てることが可能な構造を提供し、ＬＥＤを用いた照明装置の用途拡大と利便性向上を図ることにある。
【課題を解決するための手段】
【０００７】  本発明は、前記課題の解決のため、発光ダイオードの取り付け構造と、発光ダイオードと電源からなるユニットを連結するための部材の構造と、ユニットと部材の接合手段を検討した結果なされたものである。【０００８】  即ち、本発明は、一つの面に配置されてなる複数のレンズ付発光ダイオードと、内部に配置されてなる前記発光ダイオードの電源を有する金属製の筐体からなる発光ユニットである。【０００９】  また、本発明は、前記レンズ付発光ダイオードが、放熱板を介して前記筐体に配置されてなることを特徴とする、前記の発光ユニットである。【００１０】  また、本発明は、複数の前記発光ユニットを連結するためのユニット連結用部材を挿通する開口部と、前記ユニット連結用部材と前記筐体を係止するための接合手段とが、前記筐体に設けられてなることを特徴とする、前記の発光ユニットである。【００１１】  また、本発明は、前記の発光ユニットを、前記ユニット連結用部材と前記接合手段を用いて、複数個連結してなる発光複合体を有することを特徴とする照明装置である。
【発明の効果】
【００１２】  本発明の発光ユニットは、ＬＥＤが放熱板を介して、金属製の筐体に配置されているので、放熱効率が高く、発光効率の低下やＬＥＤ自体の劣化を抑制できる。また、本発明の発光ユニットは、連結用部材と接合手段を用いて複数個連結することが可能な構造なので、用途に応じて照度の増減などが必要な場合に対応可能である。
【図面の簡単な説明】
【００１３】
【図１】  本発明の発光ユニットの一例を示す斜視図。
【図２】  本発明の照明装置の一例を示す斜視図。
【発明を実施するための形態】
【００１４】  本発明の発光ユニットには、市販の各種ＬＥＤを用いることができる。また、市販のＬＥＤには、照明光として指向性を調整するために、レンズなどを付設したものあるが、本発明の発光ユニットに適している。
【００１５】  ＬＥＤの点灯に際して発生する熱を放出するための放熱板としては、汎用の金属材料で熱伝導率が高いものを用いることができ、具体的には銅やアルミニウムなどが挙げられる。同様に筐体にも高い熱伝導率を具備したものを用いるのが望ましい。
【００１６】  また、連結用部材には、棒状もしくは帯状の材料に、発光ユニットを接合する手段として、ネジ穴を設けたものを用いることができる。具体的には、断面が四角形の角管形状や、断面がコ字型のチャンネル形状の、市販の金属製押出材を用いることができる。加工性を考慮すると、アルミニウムの押出材が望ましい。
【００１７】  さらに、連結用部材を直交させて組むことにより、本発明の発光ユニットを、縦横二方向に連結して発光複合体とすることが可能であり、街路灯などの大きな照度を要求される照明装置に適用できる。その際、縦横のいずれか一方または両方の連結用部材を、発光ユニットの筐体内に挿通させることで、コンパクト化に対応できる。
【００１８】  次に、本発明の実施の形態について、具体的な図を参照しながら説明する。
【００１９】  図１は、本発明の発光ユニットの一例を示す斜視図である。図１において、１は発光デバイス素子であり、レンズ付きＬＥＤ２、放熱板３から構成される。４は発光ユニット、５は筐体、６は筐体５と連結用部材８を接合するためのブラケットであり、ネジ止め用の貫通孔７が設けられている。８及び９は連結用部材である。
【００２０】  この例においては、５〜６ＷのＬＥＤにアクリル系の高分子材料を成形してなるレンズを組み付けた市販品を、銅板を打ち抜いた放熱板３を介して、アルミニウムの板材に折り曲げ加工を施して得られる筐体５に、ビス止めにより６個取り付けてある。筐体５の内部にはレンズ付きＬＥＤを点灯させるための電源（図示せず）が内蔵され、連結部材８を挿通させるための開口部（図示せず）が設けられている。
【００２１】  また、連結部材８、９は、角管形状のアルミニウム押出材を切断したもので、一定の間隔で雌ネジの穴が設けられていて、筐体５の方のブラケット６の貫通孔７が当接する部分にも雌ネジの穴が設けられている。これらのネジ穴とビスを用いて連結部材８と筐体５を固定することが可能であり、同様に連結部材８と連結部材９の固定も可能である。このような接合手段により、発光ユニット４を縦横の二方向に複数個連結できる。
【００２２】  図２は、本発明の照明装置の一例を示す斜視図である。図２において、１０はカバー、１１は照明灯のポールである。ここでは発光ユニット４を４個連結しているが、照明装置を、このように構成することで、街路灯などに用いることができる。
【００２３】  以上に説明したように、本発明によれば、発熱による発光効率を抑制可能なＬＥＤを用いた発光ユニットとそれを用いた照明装置を得ることができ、ＬＥＤの用途拡大と、効率の高い光源を用いることによる環境への負荷低減に寄与することができる。なお、本発明は前記実施の形態に限定されるものではなく、例えば、発光ユニットにおける発光デバイス素子の数の増減など、本技術分野における通常の知識を有する者が想到し得る変形、修正が本発明に含まれることは論を俟たない。
【符号の説明】
【００２４】  １      発光デバイス素子
２      レンズ付きＬＥＤ
３      放熱板
４      発光ユニット
５      筐体
６      ブラケット
７      貫通孔
８，９  連結用部材
１０      カバー
１１      照明灯のポール
【図１】
2010212221.tif 000003
【図２】
2010212221.tif 000004